(57)【要約】 【課題】取り回しの自由度が高く、設置が容易にできるようにしたカーテンその他の物品を支持するための吊下装置を提供する。【解決手段】設置部位に配設される索支持具２０により略水平に張られた吊下索Ｃに横方向に移動可能な吊子５０を介してカーテンその他の物品を支持するための吊下装置１０であって、索支持具２０は、吊下索Ｃを下方に離脱不能に保持するとともに、吊子５０が吊下索Ｃに沿って横方向に移動するとき通過可能なよう構成され、吊子５０は、吊下索Ｃに横方向に移動可能に係合している。【選択図】図１
2006181006.tif 000002
【特許請求の範囲】
【請求項１】
設置部位に配設される索支持具により略水平に張られた吊下索に横方向に移動可能な吊子を介してカーテンその他の物品を支持するための吊下装置であって、
前記索支持具は、前記吊下索を下方に離脱不能に保持するとともに、前記吊子が吊下索に沿って横方向に移動するとき通過可能なよう構成され、
前記吊子は、前記吊下索に横方向に移動可能に係合していることを特徴とする吊下装置。
【請求項２】
設置部位に配設される索支持具により略水平に張られた吊下索に横方向に移動可能な吊子を介してカーテンその他の物品を支持するための吊下装置であって、
前記索支持具は、前記吊下索を下方に離脱不能に保持し、前記吊子が通過するとき、押し開かれる開閉保持部を有し、
前記吊子は、前記吊下索に横方向に移動可能に係合する吊下部と、前記索支持具を通過するとき、前記開閉保持部を押し開く押開部とを有することを特徴とする吊下装置。
【請求項３】
設置部位に配設される索支持具により略水平に張られた吊下索に横方向に移動可能な吊子を介してカーテンその他の物品を支持するための吊下装置であって、
前記索支持具は、前記吊下索を下方に離脱不能に保持し、前記吊子が通過するとき、押し開かれる開閉保持部と、前記吊子の荷重を受ける通過保持部とを有し、
前記吊子は、前記吊下索に横方向に移動可能に係合する吊下部と、前記索支持具を通過するとき、前記開閉保持部を押し開く押開部および、前記通過保持部に係合して移動する移動乗上部とを有することを特徴とする吊下装置。
【請求項４】
前記索支持具の前記開閉保持部は、前記吊子の前記押開部に押されたとき上方にのみ開くことができるヒンジ片より成ることを特徴とする請求項２または３に記載の吊下装置。
【請求項５】
前記吊子の前記押開部は、前記索支持具の前記開閉保持部のヒンジ片を上方に開くよう押し当る傾斜部を有することを特徴とする請求項４に記載の吊下装置。
【請求項６】
前記吊子の前記押開部は、前記索支持具の前記開閉保持部のヒンジ片を上方に開くよう押し当る傾斜部を有する円錐コーン形状であることを特徴とする請求項４に記載の吊下装置。
【請求項７】
前記索支持具の前記開閉保持部は、前記吊子の前記押開部に押されたとき横方向になびくことができる櫛歯状体より成ることを特徴とする請求項２または３に記載の吊下装置。
【発明の詳細な説明】
【技術分野】
【０００１】
本発明は、設置部位に配設される索支持具により略水平に張られた吊下索に横方向に移動可能な吊子を介してカーテンその他の物品を支持するための吊下装置に関する。
【背景技術】
【０００２】
従来の技術としては、例えば特許文献１に示すようなものがある。  
すなわち、特許文献１には、複数の吊具をカーテンレールに嵌合させ、この吊具にカーテンを吊下げて、カーテンを開閉するとき吊具がカーテンレールに嵌合したまま移動できるようにした技術が開示されている。
【０００３】
【特許文献１】特許公開２００１−２７５８３０号公報
【発明の開示】
【発明が解決しようとする課題】
【０００４】
しかしながら、このような従来の技術では、設置部位にあわせてカーテンレールを成形し、かつカーテンレールの端から吊具を挿通して嵌合させなければならず、設置が煩雑で取り回しの自由度が低いという問題点があった。
【０００５】
本発明は、このような従来の技術が有する問題点に着目してなされたもので、取り回しの自由度が高く、設置が容易にできるようにしたカーテンその他の物品を支持するための吊下装置を提供することを目的としている。
【課題を解決するための手段】
【０００６】
かかる目的を達成するための本発明の要旨とするところは、次の各項の発明に存する。
［１］  設置部位に配設される索支持具（２０）により略水平に張られた吊下索（Ｃ）に横方向に移動可能な吊子（５０）を介してカーテンその他の物品を支持するための吊下装置（１０）であって、
前記索支持具（２０）は、前記吊下索（Ｃ）を下方に離脱不能に保持するとともに、前記吊子（５０）が吊下索（Ｃ）に沿って横方向に移動するとき通過可能なよう構成され、
前記吊子（５０）は、前記吊下索（Ｃ）に横方向に移動可能に係合していることを特徴とする吊下装置（１０）。
【０００７】
［２］  設置部位に配設される索支持具（２０）により略水平に張られた吊下索（Ｃ）に横方向に移動可能な吊子（５０）を介してカーテンその他の物品を支持するための吊下装置（１０）であって、
前記索支持具（２０）は、前記吊下索（Ｃ）を下方に離脱不能に保持し、前記吊子（５０）が通過するとき、押し開かれる開閉保持部（３０）を有し、
前記吊子（５０）は、前記吊下索（Ｃ）に横方向に移動可能に係合する吊下部（６０）と、前記索支持具（２０）を通過するとき、前記開閉保持部（３０）を押し開く押開部（７０）とを有することを特徴とする吊下装置（１０）。
【０００８】
［３］  設置部位に配設される索支持具（２０）により略水平に張られた吊下索（Ｃ）に横方向に移動可能な吊子（５０）を介してカーテンその他の物品を支持するための吊下装置（１０）であって、
前記索支持具（２０）は、前記吊下索（Ｃ）を下方に離脱不能に保持し、前記吊子（５０）が通過するとき、押し開かれる開閉保持部（３０）と、前記吊子（５０）の荷重を受ける通過保持部（４０）とを有し、
前記吊子（５０）は、前記吊下索（Ｃ）に横方向に移動可能に係合する吊下部（６０）と、前記索支持具（２０）を通過するとき、前記開閉保持部（３０）を押し開く押開部（７０）および、前記通過保持部（４０）に係合して移動する移動乗上部（８０）とを有することを特徴とする吊下装置（１０）。
【０００９】
［４］  前記索支持具（２０）の前記開閉保持部（３０）は、前記吊子（５０）の前記押開部（７０）に押されたとき上方にのみ開くことができるヒンジ片（３５）より成ることを特徴とする項２または３に記載の吊下装置（１０）。
【００１０】
［５］  前記吊子（５０）の前記押開部（７０）は、前記索支持具（２０）の前記開閉保持部（３０）のヒンジ片（３５）を上方に開くよう押し当る傾斜部（７１）を有することを特徴とする項４に記載の吊下装置（１０）。
【００１１】
［６］  前記吊子（５０）の前記押開部（７０）は、前記索支持具（２０）の前記開閉保持部（３０）のヒンジ片（３５）を上方に開くよう押し当る傾斜部（７１）を有する円錐コーン形状であることを特徴とする項４に記載の吊下装置（１０）。
【００１２】
［７］  前記索支持具（２０）の前記開閉保持部（３０）は、前記吊子（５０）の前記押開部（７０）に押されたとき横方向になびくことができる櫛歯状体（３８）より成ることを特徴とする項２または３に記載の吊下装置（１０）。
【００１３】
前記本発明は次のように作用する。  
索支持具（２０）は、設置部位の適所に配設され、索支持具（２０）に略水平に張られた吊下索（Ｃ）が支持され、この吊下索（Ｃ）に横方向に移動可能に係合した吊子（５０）にカーテン等が装着されている。索支持具（２０）は、吊下索（Ｃ）を下方に離脱不能に保持しており、吊子（５０）が吊下索（Ｃ）に沿って横方向に移動するとき通過可能である。
【００１４】
つまり、索支持具（２０）は、開閉保持部（３０）により吊下索（Ｃ）を下方に離脱不能に保持していて、設置部位の所望の位置に配設することができる。吊子（５０）は、吊下部（６０）により吊下索（Ｃ）に横方向に移動可能に係合して横方向に移動可能であり、索支持具（２０）の位置に吊子（５０）がさしかかると、押開部（７０）が開閉保持部（３０）を押し開いて通過する。
【００１５】
吊子（５０）が索支持具（２０）を通過するとき、吊下索（Ｃ）が十分に張っていればカーテンその他の物品の荷重が受け止められたまま通過することができるが、索支持具（２０）に通過保持部（４０）が設けられていると、移動乗上部（８０）が索支持具（２０）の通過保持部（４０）に係合し、カーテンその他の物品の荷重は通過保持部（４０）により受け止められ円滑に移動することができる。
【００１６】
つまり、開閉保持部（３０）が開いているとき、吊下索（Ｃ）と吊子（５０）の荷重を保持することができないが、通過保持部（４０）が、吊下索（Ｃ）や吊子（５０）が脱落しないように荷重を支持している。また、通過保持部（４０）は、吊子（５０）が索支持具（２０）を通過するときに、丁度荷重を受け止めるよう適切に位置している。
【００１７】
索支持具（２０）に吊下索（Ｃ）を嵌合させるには、その長手方向から挿通するようにしてもよいが、開閉保持部（３０）がヒンジ片（３５）より成っていると、吊下索（Ｃ）を下方からヒンジ片（３５）に押し当てるとヒンジ片（３５）が上方に開き、吊下索（Ｃ）は長手方向から挿通しなくても索支持具（２０）に嵌合させることができる。ヒンジ片（３５）は上方にのみ開くので、嵌合した後に吊下索（Ｃ）が抜け出ることなく保持される。また、開閉保持部（３０）のヒンジ片（３５）は吊子（５０）の押開部（７０）に押されたとき上方に開いて、吊子（５０）の通過を許容する。
【００１８】
吊子（５０）の押開部（７０）の傾斜部（７１）は、索支持具（２０）の開閉保持部（３０）のヒンジ片（３５）を上方に開くよう徐々に押し当り、円滑に開閉保持部（３０）のヒンジ片（３５）を押し開く。吊子（５０）の押開部（７０）が円錐コーン形状であると、傾斜部（７１）が外周の全周にあるので、索支持具（２０）の開閉保持部（３０）のヒンジ片（３５）を上方に開くとき姿勢が異なっていても円滑に開閉保持部（３０）を押し開く。
【００１９】
索支持具（２０）の開閉保持部（３０）が櫛歯状体（３８）より成るものは、吊子（５０）の押開部（７０）が索支持具（２０）の開閉保持部（３０）に当たって押されると横方向になびき、吊子（５０）の通過を許容する。なびく方向以外には剛性があるので、吊下索（Ｃ）は抜け出ないよう索支持具（２０）に保持される。
【発明の効果】
【００２０】
本発明にかかる吊下装置によれば、カーテンその他の物品が装着される吊子が、吊下索を保持する索支持具を通過できるようにしたから、全長にわたるレールは不要となり、配置が制限されることがなく、自由度高くカーテン等の設備を設置することができるとともに、容易にカーテン等の設備を設置することができる。索支持具の開閉保持部のヒンジ片を通して吊下索を索支持具に嵌合させることができるようにしたものは、吊下索を長手方向から通さなくてもよいので、作業性がよく、一層、自由度が高く、設置の容易なものとすることができる。
【発明を実施するための最良の形態】
【００２１】
以下、図面に基づき本発明の好適な各種の実施の形態を説明する。  
図１〜図６は本発明の第１の実施の形態を示している。  
吊下装置１０は、索支持具２０と、吊下索Ｃに横方向に移動可能に係合する吊子５０とにより構成される。なお、吊下索Ｃは帯状その他の異型断面でもよい。
【００２２】
索支持具２０は、設置部位にねじ止め、接着、支持ロッド２５等で配設され、吊下索Ｃを下方に離脱不能に保持するとともに、吊子５０が吊下索Ｃに沿って横方向に移動するとき通過可能なよう構成され、吊下索Ｃは、索支持具２０により略水平に張られてカーテンその他の物品を支持するようになっている。
【００２３】
索支持具２０は、吊下索Ｃを下方に離脱不能に保持し、吊子５０が通過するとき、押し開かれる開閉保持部３０と、同じく吊子５０が通過するとき、吊子５０の荷重を受ける通過保持部４０とを有している。
【００２４】
開閉保持部３０は、索支持具２０の基体２１の下端部に設けられたヒンジ片３５，３５より成り、吊子５０の押開部７０に押されたとき上方にのみ開くことができるようになっている。ヒンジ片３５は、合成樹脂である基体２１に折り曲げヒンジ部３６により枢着され、切込み３７が下方から穿設されていて、ヒンジ片３５，３５が略水平になって切込み３７が閉じた位置でそれ以上下方へは開かないように形成されている。
【００２５】
また、ヒンジ片３５，３５の先端３５ａ，３５ａ間はヒンジ片３５，３５が水平姿勢になったとき吊下索Ｃが抜け出さない程度に近接して出口を閉鎖している。なお、対向する縁辺を鋸歯あるいは櫛歯状にして交錯するようにしてもよい。
【００２６】
通過保持部４０は、両側に吊子５０の移動乗上部８０を迎え入れるための坂部４１，４１を有するとともに、頂面部４２を有している。
【００２７】
吊子５０は、吊下索Ｃに横方向に移動可能に係合する吊下部６０と、索支持具２０を通過するとき、開閉保持部３０を押し開く押開部７０および、通過保持部４０に係合して移動する移動乗上部８０とを有している。
【００２８】
吊子５０の吊下部６０は、吊下索Ｃが挿通するリング形状をしているが、フック形状でもよく、移動しやすいように滑車を設けてもよい。押開部７０は、索支持具２０の開閉保持部３０のヒンジ片３５を上方に開くよう押し当る傾斜部７１を有しており、本実施の形態では、押開部７０は、索支持具２０の開閉保持部３０のヒンジ片３５を上方に開くよう押し当る傾斜部７１を外周の全周に有する円錐コーン形状である。押開部７０の下部にはカーテンその他の物品を保持するフック７５が設けられている。
【００２９】
なお、移動乗上部８０は、索支持具２０の通過保持部４０に乗り上げやすい球形をしているが、要するに通過保持部４０に対し摺動して通過可能な形状であればよい。また、通過保持部４０は押開部７０より上方のどの位置でもよく、吊下部６０から側方に張り出すようにしてもよい。
【００３０】
次に作用を説明する。  
索支持具２０は、設置部位の適所に配設され、吊下ロッド２５で固定され、そのほか、ねじ止め、接着等で固定する。索支持具２０には略水平に張られた吊下索Ｃが開閉保持部３０により支持され、この吊下索Ｃに横方向に移動可能に吊下部６０が係合した所要数の吊子５０にカーテンその他の物品がフック７５により装着されている。索支持具２０は、吊下索Ｃを下方に離脱不能に保持しており、吊子５０が吊下索Ｃに沿って横方向に移動するとき通過可能になっている。
【００３１】
すなわち、索支持具２０は、開閉保持部３０により吊下索Ｃを下方に離脱不能に保持していて、設置部位の所望の位置に配設することができる。つまり、開閉保持部３０は、索支持具２０の基体２１の下端部に位置し、ヒンジ片３５，３５が常時は水平状態になって、先端３５ａ，３５ａ間が吊下索Ｃが抜け出さない程度に近接して出口を閉鎖して吊下索Ｃを離脱不能に保持している。
【００３２】
ヒンジ片３５は、折り曲げヒンジ部３６により揺動可能で、下方から穿設された切込み３７がヒンジ片３５，３５が略水平になった位置で閉じてそれ以上下方へは開かない。吊子５０の押開部７０に押されたとき上方にのみ開くことができる。
【００３３】
吊子５０は、吊下部６０により吊下索Ｃに横方向に移動可能に係合して横方向に移動する。索支持具２０の位置に吊子５０がさしかかると、押開部７０の傾斜部７１が開閉保持部３０に徐々に当接して押し開き、十分に開いたとき通過する。索支持具２０が所要数配設され、位置が異なっていても、常にこのように吊子５０は通過することができる。
【００３４】
吊子５０が索支持具２０を通過するとき、吊下索Ｃが十分に張っていればカーテンその他の物品の荷重が受け止められたまま通過することができるが、索支持具２０に通過保持部４０が設けられていると、移動乗上部８０が索支持具２０の通過保持部４０の坂部４１に乗り上げ、さらに頂面部４２上を摺動して移動し、その間、カーテンその他の物品の荷重は通過保持部４０により受け止められ円滑に移動することができる。
【００３５】
つまり、開閉保持部３０が開いているとき、吊下索Ｃと吊子５０の荷重を保持することができないが、通過保持部４０が、吊下索Ｃや吊子５０が脱落しないように荷重を支持している。また、通過保持部４０は、吊子５０が索支持具２０を通過するときに、丁度荷重を受け止めるよう適切に位置して吊子５０からの荷重を受け止めている。
【００３６】
また、索支持具２０に吊下索Ｃを嵌合させるには、その長手方向から挿通するようにしてもよいが、開閉保持部３０がヒンジ片３５より成っていると、吊下索Ｃを下方からヒンジ片３５に押し当てるとヒンジ片３５が上方に開き、吊下索Ｃは長手方向から挿通しなくても索支持具２０に嵌合させることができる。ヒンジ片３５は上方にのみ開くので、嵌合した後に吊下索Ｃが抜け出ることなく保持される。また、開閉保持部３０のヒンジ片３５は吊子５０の押開部７０に押されたとき上方に開いて、吊子５０の通過を許容する。
【００３７】
吊子５０の押開部７０の傾斜部７１は、索支持具２０の開閉保持部３０のヒンジ片３５を上方に開くよう徐々に押し当り、円滑に開閉保持部３０のヒンジ片３５を押し開く。吊子５０の押開部７０が円錐コーン形状であると、傾斜部７１が外周の全周にあるので、索支持具２０の開閉保持部３０のヒンジ片３５を上方に開くとき姿勢が異なっていても円滑に開閉保持部３０を押し開く。
【００３８】
図７は本発明の第２の実施の形態を示している。  
索支持具２０の開閉保持部３０は、吊子５０の押開部７０に押されたとき横方向になびくことができる櫛歯状体３８より成る。櫛歯状体３８は縦方向には厚みがあって剛性があり、吊下索Ｃが抜け出さないよう索支持具２０に保持する。
【００３９】
索支持具２０の開閉保持部３０の櫛歯状体３８は、吊子５０の押開部７０が索支持具２０の開閉保持部３０に当たって押されると横方向になびき、吊子５０の通過を許容する。なびく方向以外には剛性があるので、吊下索Ｃは抜け出ないよう索支持具２０に保持される。開閉保持部３０が櫛歯状体３８であると吊子５０に傾斜面がなくても容易に通過することが可能となる。
【００４０】
なお、第２の実施の形態では、吊下索Ｃは長手方向から挿通するか、基体２１の横に窓を設けて嵌合させるようにしてもよい。窓は外から中方向にのみ嵌入可能な構造にするとよい。
【００４１】
なお、本願発明の吊下装置はカーテンを吊下げるだけでなく、組立工場等で製品や部品を吊下げて移動するために利用することもできる。
【図面の簡単な説明】
【００４２】
【図１】本発明の第１の実施の形態に係る吊下装置を示す縦断面図である。
【図２】本発明の第１の実施の形態に係る吊下装置を示す配置図である。
【図３】本発明の第１の実施の形態に係る吊下装置の索支持具を示す斜視図である。
【図４】本発明の第１の実施の形態に係る吊下装置の吊子を示す正面図である。
【図５】本発明の第１の実施の形態に係る吊下装置において索支持具に吊下索を保持した状態を示す縦断面図である。
【図６】本発明の第１の実施の形態に係る吊下装置において索支持具に吊下索を保持した状態を示す横断面図である。
【図７】本発明の第２の実施の形態に係る吊下装置における開閉保持部の櫛歯状体を示す部分平面図である。
【符号の説明】
【００４３】
Ｃ…吊下索
１０…吊下装置
２０…索支持具
２１…基体
２５…吊下ロッド
３０…開閉保持部
３５…ヒンジ片
３５ａ…先端
３６…折り曲げヒンジ部
３７…切込み
３８…櫛歯状体
４０…通過保持部
４１…坂部
４２…頂面部
５０…吊子
６０…吊下部
７０…押開部
７１…傾斜部
７５…フック
８０…移動乗上部
【図１】
2006181006.tif 000003
【図２】
2006181006.tif 000004
【図３】
2006181006.tif 000005
【図４】
2006181006.tif 000006
【図５】
2006181006.tif 000007
【図６】
2006181006.tif 000008
【図７】
2006181006.tif 000009